【手続補正書】
【提出日】平成26年2月18日(2014.2.18)
【手続補正１】
【補正対象書類名】特許請求の範囲
【補正対象項目名】全文
【補正方法】変更
【補正の内容】
【特許請求の範囲】
【請求項１】
外部からの払出信号の入力により払出単位として予め定められた複数個の遊技媒体を遊技者に対して払出す遊技機に１対１に対応して設けられる遊技用装置であって、
遊技媒体を計数する計数手段と、
払出操作の受付けに応じて前記払出信号を出力して前記計数手段にて計数された範囲内で前記払出単位の遊技媒体を対応する遊技機に払出させる単位払出処理手段と、
前記計数手段にて計数された範囲内で前記払出単位未満の端数の遊技媒体を払出す端数払出処理手段と、
前記遊技機側に張り出して形成される計数・端数払出ユニットと、
を備え、
前記計数・端数払出ユニットは、
前記遊技機から払出された遊技媒体を受け入れる受皿と、
該受皿に受け入れた遊技媒体を前記計数手段に導く計数通路と、
前記端数払出処理手段から払出された遊技媒体を導く返却通路と、
前記返却通路により導かれた遊技媒体が返却される返却部と、
を備え、
前記計数通路と前記返却通路は傾斜が逆である
ことを特徴とする遊技用装置。
【手続補正２】
【補正対象書類名】明細書
【補正対象項目名】０００１
【補正方法】変更
【補正の内容】
【０００１】
本発明は、払出単位として予め定められた複数個の遊技媒体を遊技者に対して払出す遊技機に１対１に対応して設けられる遊技用装置に関する。
【手続補正３】
【補正対象書類名】明細書
【補正対象項目名】０００６
【補正方法】変更
【補正の内容】
【０００６】
本発明は、このような問題点に着目してなされたもので、端数の遊技球を払出すことによる装置の複雑化を解消することのできる遊技用装置を提供することを目的とする。
【手続補正４】
【補正対象書類名】明細書
【補正対象項目名】０００７
【補正方法】変更
【補正の内容】
【０００７】
前記課題を解決するために、本発明の請求項１に記載の遊技用装置は、
外部からの払出信号（台端末貸出要求完了確認信号（ＢＲＱ））の入力により払出単位として予め定められた複数個（２５玉）の遊技媒体（パチンコ玉）を遊技者に対して払出す遊技機（パチンコ機２）に１対１に対応して設けられる遊技用装置（カードユニット３）であって、
遊技媒体を計数する計数手段（制御部３５０，制御ユニット３２８；計数情報処理、ＳＳ４）と、
払出操作の受付けに応じて前記払出信号を出力して前記計数手段にて計数された範囲内で前記払出単位の遊技媒体を対応する遊技機に払出させる単位払出処理手段と（制御ユニット３２８；払出処理、Ｓｈ８、Ｓｈ１０）、
前記計数手段にて計数された範囲内で前記払出単位未満の端数の遊技媒体を払出す端数払出処理手段（制御ユニット３２８；払出処理、Ｓｈ５、制御部３５０）と、
前記遊技機側に張り出して形成される計数・端数払出ユニットと、
を備え、
前記計数・端数払出ユニットは、
前記遊技機から払出された遊技媒体を受け入れる受皿と、
該受皿に受け入れた遊技媒体を前記計数手段に導く計数通路と、
前記端数払出処理手段から払出された遊技媒体を導く返却通路と、
前記返却通路により導かれた遊技媒体が返却される返却部と、
を備え、
前記計数通路と前記返却通路は傾斜が逆である
ことを特徴としている。
この特徴によれば、計数・端数払出ユニットに端数の遊技媒体が払出されるので、装置の複雑化を解消することができる。
【手続補正５】
【補正対象書類名】明細書
【補正対象項目名】００２４
【補正方法】変更
【補正の内容】
【００２４】
打球操作ハンドル２５の操作によって揺動されるハンマー（図示略）によって発射された打玉は、打球レールを通って遊技領域２７に入り、その後、遊技領域２７を流下していく。この際、発射勢いが弱すぎて前記遊技領域２７に達しなかったパチンコ玉は、環流経路（図示略）を通じて下皿２４に環流されるようになっている。
【手続補正６】
【補正対象書類名】明細書
【補正対象項目名】００４８
【補正方法】変更
【補正の内容】
【００４８】
尚、本実施例のカードユニット３は、図７に示すように、カードユニット３本体が、その上下位置に形成されたユニットホルダ３１’に係合し、該カードユニット３本体を前面方向に引き出し可能に保持するユニットホルダ３１’を介して遊技島に設置されており、カードユニット３の前面下方所定位置には、図示しないシリンダ錠が設けられていて、係員等が所持する解錠キーにより施錠を解除することでカードユニット３が引き出しできるようになっている。また、該ユニットホルダ３１’には、各種接続ケーブルを中継するためのコネクタが設けられており、制御ユニット３２８に接続される通信ケーブル等が、該ユニットホルダ３１’を介して中継接続されていて、これら通信ケーブル等が前記カードユニット３本体の引き出し時に絡まって、カードユニット３本体が引き出せなくなってしまうことがないように工夫されている。
【手続補正７】
【補正対象書類名】明細書
【補正対象項目名】００８２
【補正方法】変更
【補正の内容】
【００８２】
そして、投入部３４５の底面の最も低い位置には、下部ユニット３４０ｂ内に形成された計数流路３４７に繋がる流入口３４６が設けられている。計数流路３４７は、後述するように、連結樋３４４の方向に向けて、該連結樋３４４側が下方となるように傾斜して形成されているとともに、流入口３４６は、該計数流路３４７の傾斜方向に対して直角方向となる、計数・端数払出ユニット３４０の後方側に向けて開口するように設けられている。
【手続補正８】
【補正対象書類名】明細書
【補正対象項目名】００９９
【補正方法】変更
【補正の内容】
【００９９】
この排出流路３３７の途中には、返却貯留部３４２に繋がる返却通路３３５への分流口３３６と、装着されている流路切替板を進退させることにより該排出流路３３７を流下してきたパチンコ玉の流路を、連結樋側または返却通路側に切替え可能とされた流路切替ソレノイド３５８が設けられているとともに、排出流路３３７の該分流口３３６の上流位置には、払出スプロケット３５３’により該排出流路３３７に持ち上げられて供給されたパチンコ玉を検出して計数するための払出センサ３５４が設けられており、該払出センサ３５４により、返却通路３３５を通じて遊技者に払出し（返却）するパチンコ玉数を計数できるとともに、貯留部３３８から連結樋３４４を通じてカードユニット３内に回収（排出）させたパチンコ玉を計数できるようになっている。
【手続補正９】
【補正対象書類名】明細書
【補正対象項目名】０１１９
【補正方法】変更
【補正の内容】
【０１１９】
図１２は、本実施例の振分け装置５の構成を示すブロック図であり、装置内部には、前述したカードユニット３に内蔵されているカードリーダライタ３２７（図４参照）とほぼ同じ構成とされた第１カードリーダライタ５０８が、第１カード挿入口５０４に臨むように設けられているとともに、カードリーダライタ３２７（図４参照）と同じ構成とされた第２カードリーダライタ５０９が、第２カード挿入口５０６に臨むように設けられている。
【手続補正１０】
【補正対象書類名】明細書
【補正対象項目名】０１６７
【補正方法】変更
【補正の内容】
【０１６７】
そして、該特定された期間超過玉数を排出玉数として含む排出指示が当該カードユニット３に対して送信されることに応じて該カードユニット３においては、前述したように、制御ユニット３２８から計数・端数払出ユニット３４０の制御基板３４１（制御部３５０）に対して排出玉数である期間超過玉数を含む排出要求が送信されることにより、流入路３３９並びに貯留部３３８のガイド溝上に、古い順に整列した状態にて貯留されているパチンコ玉のうち、先頭部分となる流出口３３８’に近い領域に貯留されている期間超過玉数のみが計数されて、連結樋３４４に排出される。尚、この排出により、当該日付と該排出された期間超過玉数と種別である「払出」とを含む貯留・払出履歴が新規に登録されることにより、前述したように、上限期間よりも前の日付を含む種別が貯留の貯留・払出履歴における存在数が「０」となることで、該存在数が「０」となった貯留・払出履歴とともに、これら「０」となった貯留・払出履歴よりも古い種別が払出しの貯留・払出履歴が全て消去される。
【手続補正１１】
【補正対象書類名】明細書
【補正対象項目名】０２５８
【補正方法】変更
【補正の内容】
【０２５８】
この報知により貯留部３３８に貯留されているパチンコ玉の玉数（残数）が少ないことを把握した係員は、前述したように、リモコンを用いて、加算留保モードに移行して貯留部３３８にパチンコ玉を補充することで、貯留部３３８からのパチンコ玉の払出しが可能とされる。
【手続補正１２】
【補正対象書類名】明細書
【補正対象項目名】０２６０
【補正方法】変更
【補正の内容】
【０２６０】
この端数払出要求の受信に応じて計数・端数払出ユニット３４０は、流路切替ソレノイド３５８によって流路を返却通路３３５へ切替えるとともに、該受信した端数払出要求に含まれる払出玉数（端数）である２０の検出信号が払出センサ３５４から入力されてくるまで払出モータ３５３を作動させることにより、該払出玉数（端数）である２０個のパチンコ玉が、排出流路３３７上の分流口３３６から返却通路３３５に流入して、返却貯留部３４２に返却されて貯留されることで、遊技者は、これら払出しされた２０玉のパチンコ玉を該返却貯留部３４２から取り出すことができる。
【手続補正１３】
【補正対象書類名】明細書
【補正対象項目名】０５８８
【補正方法】変更
【補正の内容】
【０５８８】
尚、流出口４１４の排出流路４１６側には、図３６に示すように、払出モータ４１７の回転軸に装着され、外周に１つのパチンコ玉を収容可能な凹部が形成された払出スプロケット４１７’が設けられているとともに、該払出スプロケット４１７’の連結流路２４４’側である排出流路４１６の上流端の高さ位置が、流出口４１４の高さ位置よりも高い位置となるように、該払出スプロケット４１７’が設けられた位置が払出スプロケット４１７’の外径に合致する段部とされていて、該段部並びに払出スプロケット４１７’によって流出口４１４から流出したパチンコ玉が、排出流路４１６上を連結樋３４４へ自然流下してしまうことが規制されており、払出モータ４１７を作動させて払出スプロケット４１７’を回転させることにより、流出口４１４に流出したパチンコ玉が、１つずつ、払出スプロケット４１７’に形成された凹部に取り込まれるとともに、回転によって排出流路４１６の上流端にまで持ち上げられて該排出流路４１６内に流入して、該排出流路４１６を流下して連結樋３４４”に合流して、カードユニット３’内に回収されるようになっている。
【手続補正１４】
【補正対象書類名】明細書
【補正対象項目名】０５９６
【補正方法】変更
【補正の内容】
【０５９６】
このように、貯留部４１３にパチンコ玉が貯留されている状態において、払出単位未満の端数のパチンコ玉数、例えば、後述するように、端数として１５玉の払出し（返却）がなされる場合、つまり、制御ユニット３２８から払出玉数である１５玉を含む端数払出要求を受信した場合には、制御部は、満タンセンサ４２１にてパチンコ玉が検出されていることを条件、つまり、貯留部４１３内にパチンコ玉が満杯であるときに、流出口シャッタ４１５を回動させて第１の位置から第３の位置とすることで、貯留部４１３に貯留されているパチンコ玉を流出口４１４から流出させる。尚、満タンセンサ４２１にてパチンコ玉が検出されていない場合には、制御ユニット３２８に貯留玉数エラー通知が送信されることで、当該エラーが報知されて、前述した加算留保モードへの移行によるパチンコ玉の補充が実施される。